(57)【特許請求の範囲】
【請求項１】
スプリング特性を有する線状体であって、
所定間隙で平行に配置される一対のコイルスプリング部と、
該コイルスプリング部から周方向に延び出す、側面視でＳ字状の一対のＳ字形状部を有し、正面視でアーチ状又はＵ字状のアーチ部と、
弾球遊技機本体に固定され、前記一対のスプリング部に開口面が直交してそれぞれ連続する一対の環状部と、
を備え、
前記Ｓ字形状部の凸部により部品を弾球遊技機本体に脱着自在に固定することを特徴とする線状固定具。
【請求項２】
請求項１に記載の線状固定具で前記部品を弾球遊技機本体に固定することを特徴とする弾球遊技機。
【発明の詳細な説明】
【技術分野】
【０００１】
本発明は、固定具によって遊技盤等の部品を取付枠等の弾球遊技機本体に脱着自在に固定させるようにした線状固定具及び弾球遊技機に関するものである。
【背景技術】
【０００２】
従来の弾球遊技機は、例えば、取付枠内に装着した遊技盤は遊技盤用の固定具で固定し、遊技盤は遊技盤用の固定具（遊技盤固定具３３）で、機構盤は機構盤用の固定具（機構板固定具５４）で固定するようにしていた（特許文献１）。
また一個の固定具を回動することで遊技盤と遊技盤の双方を固定することができるようにして、従来技術より構成部品点数と、固定するための手間を減少することができるようにする固定具１２を備える弾球遊技機も提案されている（特許文献２）。
【特許文献１】特開平８−２４３２３１号公報
【特許文献２】特開平9-276507号公報
【発明の開示】
【発明が解決しようとする課題】
【０００３】
しかしながら、前記した特許文献１〜２に示す遊技盤固定具は、ほとんど弾性がない板状体の固定具であって、固定具による取付作業は隙間がない狭い場所で行わなければならず取付作業や交換作業が円滑ではなく、また、固定具は小さな部品であるため従業員が取付作業や交換作業を行っているうちに手が痛くなるなどの不具合がある。
【０００４】
本発明はこれまでに想到されたことがない観点から弾球遊技機を構成しようとするものであり、その目的は、遊技盤の取付作業や交換作業が容易であるとともに、遊技盤の取付時に作業者の苦痛を低減することにある。
【課題を解決するための手段】
【０００５】
上記目的を達成するため、請求項１に記載の発明は、  スプリング特性を有する線状体であって、所定間隙で平行に配置される一対のコイルスプリング部と、該コイルスプリング部から周方向に延び出す、側面視でＳ字状の一対のＳ字形状部を有し、正面視でアーチ状又はＵ字状のアーチ部と、弾球遊技機本体に固定され、前記一対のスプリング部に開口面が直交してそれぞれ連続する一対の環状部と、を備え、前記Ｓ字形状部の凸部により部品を弾球遊技機本体に脱着自在に固定することを特徴とする線状固定具である。
【０００６】
請求項２に記載の発明は、請求項１に記載の線状固定具で前記部品を弾球遊技機本体に固定することを特徴とする弾球遊技機である。
【０００７】
前記固定具のうち、前記遊技盤の下辺を固定する下辺固定具が、コイルスプリング部と、該コイルスプリング部と接続するアーチ部とから構成され、前記アーチ部で係止するとともに、その弾性力によって、前記取付枠に前記遊技盤の下辺を脱着自在に固定することが好ましい。また、前記線状固定具が、前記コイルスプリング部と連続して形成される環状部を備え、該環状部が前記前面枠に固定されることが好ましい。
【０００８】
前記遊技盤の側部を取り付ける側辺固定具も線状体から構成されることが好ましい。側辺固定具は、コイルスプリング部と、該コイルスプリング部に連続する係止部と摘み部とがＬ字形状部分をなし、弾性変形する構成を備えることが好ましい。
【０００９】
さらに、線状固定具を製造容易とするため、前記線状体が１本の線条から構成されることが好ましい。
【発明の効果】
【００１０】
請求項１、２の発明によれば、板体の固定具と比較して、部品を押さえるメカニズムが相違するため、線材のほうが非常に作業には具合がよく、取付作業や交換作業が容易である。また、線状体の線径を変更することにより、バネの強度を自在に変更できる利点がある。
【発明を実施するための最良の形態】
【００１２】
以下に、本発明の好適な実施形態に係る弾球遊技機について図面を参照して説明する。
【００１３】
（実施形態１）
弾球遊技機は、図１〜図４に示す通り、窓１（図４参照）を形成した前面枠２の背面に形成される取付枠３に遊技盤４を着脱自在に取り付けるための側辺固定具５及び下辺固定具６を備えている。この遊技盤４の背面側に機構盤（図示略）が着脱自在に装着される。
【００１４】
前面枠２及び取付枠３は合成樹脂成形により一体成形されている。前面枠２は、上板部７、下板部８、左側板９、及び右側板１０で四角枠状に形成されている。前面枠２の前面にはガラス枠（図示略）が開閉自在に設置される。下板部８の前面に球受皿（図示略）が設けられ、発射レール１１（図４参照）を取り付ける上方に突出する取付突条１２（図４参照）を備え、下方に発射装置（図示略）が設けられる貫通孔１３が形成され、その他の各部部品（図示略）が設けられる。
【００１５】
前面枠２は、上板部７、下板部８、左側板９及び右側板１０から、それぞれ、背面に向かって垂直に起立する上枠部１４、下枠部１５、左側枠部１６及び右側枠部１７から構成され、これらの上枠部１４、下枠部１５、左側枠部１６及び右側枠部１７は枠状に形成されている。下板部８に下辺固定具６を取り付ける取付孔１８が形成された取付基板１９を備えている。
【００１６】
取付枠３には上枠部１４、下枠部１５、左側枠部１６、右側枠部１７で囲まれる収容凹溝３１（図４参照）が形成され、収容凹溝３１に遊技盤４が嵌め込まれるように構成されている。取付枠３の内側領域にある前面枠２の背面領域には、収容凹溝３１に向かってピン３２が突出形成されている。取付枠３は、側辺固定具５を取り付ける雌ネジ部３３を左右一対備えている。雌ネジ部３３の下方に左側枠部１６及び右側枠部１７から背面に向かって起立するストッパ３４を備えている。
【００１７】
図４及び図８〜図１０に示す通り、遊技盤４には、ピン３２を嵌合するための貫通孔４１が形成してある。貫通孔４１の径はピン３２の径よりも大きく設定されている。
【００１８】
次に側辺固定具５の詳細な構造を図５を参照して説明する。側辺固定具５は取付枠３の背面に面方向（弾球遊技機の幅方向と平行な水平面）に回動可能に軸支して、遊技盤４を取付枠３に固定させるものである。側辺固定具５は、左側枠部１６及び右側枠部１７に、それぞれ、上下２箇所、合計４箇所設けてある。側辺固定具５は所要長さを有する１本の線条が曲成されたものであり、コイルスプリング部５１と、コイルスプリング部５１と連続するループ形状のスプリング構造を備える押さえ部５２及び摘み部５３と、前記線状体を外嵌した状態で雌ネジ部３３にワッシャ５４を介してネジ込むボルト５５と、から構成されている。押さえ部５２及び摘み部５３は一体に連続する必要があるが、コイルスプリング部５１は別体でもよい。押さえ部５２と摘み部５３とは互いに所定角度をなすよう、例えば、ここでは９０度（Ｌ字形状）をなすように面方向に延設され、摘み部５３の方が押さえ部５２よりも長く設定されている。右側の側辺固定具５は、ストッパ３４によって摘み部５３の時計方向への回動が阻止され、遊技盤４を係止しないように構成され、右側の押さえ部５２が反時計方向に回動することで遊技盤４を係止するように構成している。また左側の側辺固定具５は、ストッパ３４によって摘み部５３の反時計方向への回動が阻止され、遊技盤４を係止しないように構成され、左側の押さえ部５２が時計方向に回動することで遊技盤４を係止するように構成している。この側辺固定具５は、時計方向又は反時計方向に回動するときに、弾性変形するように曲成された線状体であって、その弾性力によって、取付枠３への遊技盤４の脱着を自在とする線状固定具である。
【００１９】
次に下辺固定具６の詳細な構造を図６を参照して説明する。下辺固定具６は遊技盤４の下辺を固定する左右対称形状の固定具であり、所要長さを有する１本の線条が曲成されたものである。下辺固定具６は、１対のコイルスプリング部６１及び６２と、コイルスプリング部６１及び６２とに連続するとともに正面視でアーチ状又はＵ字形状で側面視で波型（図ではＳ字形状）のアーチ部６３と、コイルスプリング部６１及び６２に連続するとともに、それぞれの外側に延びだす１対の環状部６４及び６５とから構成されている。コイルスプリング部６１及び６２と、環状部６４及び６５とは、その開口面が直交するように配置している。アーチ部６３で遊技盤４を係止するとともに、コイルスプリング部６１及び６２の弾性力によって、取付枠３に遊技盤４の下辺を脱着自在に固定するものである。環状部６４及び６５にワッシャ（図示略）が介装されてタッピングネジ６６及び６７が取り付けられ、タッピングネジ６６及び６７が２個所の取付孔１８に取り付けられ固定されている。これにより下辺固定具６を前面枠２に固定するように構成している。アーチ部６３は側面視でＳ字型であって凸部６８及び凹部６９を備えている。凸部６８により遊技盤４を前面枠２に押し付けるように構成している。
【００２０】
次に遊技盤４の取付枠３への取付手順を図４及び図８〜図１０を参照して説明する。
先ず取付枠３の左側枠部１６取り付けられた側辺固定具５を時計方向に回動させるとともに、取付枠３の右側枠部１７に取り付けられた側辺固定具５を反時計方向に回動させることにより、遊技盤４を収容凹溝３１に嵌め込むための準備作業をする。
【００２１】
次に、図８に示す通り、下部のピン３２を下部の貫通孔４１に合致させるように、遊技盤４の下部を斜めに取付枠３の下部に嵌めこむ。このとき、遊技盤４の重量によって、下辺固定具６が下方に撓んで自動的に広がるので、ピン３２を貫通孔４１に嵌め込む作業が容易である。遊技盤４の上部を下端を中心に反時計方向に回動させて、遊技盤４の上部を取付枠３の上部の前方に押し付け、上部のピン３２を上部の貫通孔４１に合致させるように嵌合させる。
【００２２】
図９に示す通り、別の方法として、遊技盤４の下部を下辺固定具６のアーチ部６３に垂直状態で載せると、コイルスプリング部６１、コイルスプリング部６２及びアーチ部６３が遊技盤４の重みで撓み、弾発力で遊技盤４を押し上げる。このため、遊技盤４が円滑に取付枠３に嵌め込まれる。
【００２３】
図８又は図９のようにして遊技盤４を収容凹溝３１に嵌め込んだ後、取付枠３の貫通孔１３に取り付けられた左側の側辺固定具５を時計方向に回動させるとともに、取付枠３の上枠部１４に取り付けられた右側の側辺固定具５を反時計方向に回動させて押さえ部５２により４箇所で遊技盤４を固定する。これに加えて遊技盤４の下辺を凸部６８で弾性的に係止する。
【００２４】
また逆に遊技盤４を交換などにより取り外す際には、前記とは逆の手順で側辺固定具５及び下辺固定具６を操作することで、遊技盤４を開放することができる。下辺固定具６が遊技盤４を下方から確実に支持するので遊技盤４が開放されても取付枠３から遊技盤４が外れることがない。
【００２５】
（実施形態２）
図１１に示す通り、前面枠２の前方に取付枠３が突出していて、その前面側から遊技盤４を脱着する構造である。説明は実施形態１を援用する。
【００２６】
以上説明した本実施形態によれば、板体の固定具と比較して、遊技盤４を押さえるメカニズムが線状体の弾性力によるため、遊技盤４の取付作業や交換作業が非常に具合よくゆき、作業者の疲労が少なく、取付作業や交換作業が容易となる。また、側辺固定具５及び下辺固定具６の線状体の線径を変更することにより、バネの強度を自在に変更できる利点がある。
【００２７】
以上の実施形態は、本発明の態様を実施するに当たって、本発明者により採用された技術の代表例である。これら技術は本発明の実施のための好ましい実施形態の例示であること、また、本技術分野に属する者は、本発明の開示に鑑みて、本発明の精神及び意図された要旨から離れることなく多数の改変・追加等が可能である。
【図面の簡単な説明】
【００２８】
【図１】本発明実施形態１の弾球遊技機により、前面枠の取付枠の背面側に遊技盤を固定した状態を示す背面斜視図である。
【図２】同背面図である。
【図３】同側面図である。
【図４】図１の分解背面斜視図である。
【図５】側辺固定具５の斜視図（ａ）、側辺固定具５の他の角度から見た斜視図（ｂ）、側辺固定具５の線状体の断面図（ｃ）である。
【図６】下辺固定具６の斜視図（ａ）、下辺固定具６を他の角度から見た斜視図（ｂ）、下辺固定具６の線状体の断面図（ｃ）である。
【図７】同正面図である。
【図８】本発明実施形態１の弾球遊技機により、前面枠の取付枠の背面側に遊技盤が固定される状態（その１）を示す一部断面側面図である。
【図９】本発明実施形態１の弾球遊技機により、前面枠の取付枠の背面側に遊技盤が固定されようとする状態（その２）を示す一部断面側面図である。
【図１０】本発明実施形態１の弾球遊技機により、前面枠の取付枠の背面側に遊技盤が固定された後の状態を示す一部断面側面図である。
【図１１】本発明実施形態２の弾球遊技機により、前面枠の取付枠の前面側に遊技盤を固定した状態を示す背面斜視図である。
【符号の説明】
【００２９】
１・・・  窓枠  ２・・・  前面枠  ３・・・  取付枠  ４・・・  遊技盤
４１・・・  貫通孔  ５・・・  側辺固定具  ５１・・・  コイルスプリング部
５２・・・  押さえ部  ５３・・・  摘み部  ５４・・・  ワッシャ
５５・・・  ボルト  ６・・・  下辺固定具  ６１，６２・・・  コイルスプリング部
６３・・・  アーチ部  ６４，６５・・・  環状部  ６６，６７・・・  タッピングネジ
６８・・・  凸部  ６９・・・  凹部  ７・・・  上板部  ８・・・  下板部
９・・・  左側板  １０・・・  右側板  １１  発射レール  １２  取付突条
１３  貫通孔  １４・・・  上枠部  １５・・・  下枠部  １６・・・  左側枠部
１７・・・  右側枠部  １８・・・  取付孔  １９・・・  取付基板
３１・・・  凹溝  ３２・・・  ピン  ３３・・・  雌ネジ部  ３４・・・  ストッパ
【図１】
0004718915.tif 000002
【図２】
0004718915.tif 000003
【図３】
0004718915.tif 000004
【図４】
0004718915.tif 000005
【図５】
0004718915.tif 000006
【図６】
0004718915.tif 000007
【図７】
0004718915.tif 000008
【図８】
0004718915.tif 000009
【図９】
0004718915.tif 000010
【図１０】
0004718915.tif 000011
【図１１】
0004718915.tif 000012